(57)【要約】【課題】調整型ピボットヒンジを用いて開き戸を戸枠に吊り込む場合にも使用することのできる開き戸用反り防止金具を提供する。【解決手段】一対の中間ヒンジ体３５・４０を、中間ピボット軸３０の球状嵌合突部３０ａと半球状の中間軸受穴３８との嵌め合いで、上下および前後左右に自由に遊動可能に連結する一方、中間ヒンジ体の取付位置を、開き戸Ｄに対し、羽根板部３５ｂ・４０ｂの第１調整穴３９又は第２調整穴４３の長さ方向に沿って上下又は前後方向に調整可能とすると共に、羽根板部４０ｂの外側板面４４に設けたテーパ面部の傾きに応じて、左右方向に調整可能に構成し、調整型ピボットヒンジで所定の取付位置に位置決め調整して吊り込んだ開き戸であっても、その開き戸の取付位置に合わせて、中間ヒンジ体の取付位置を上下及び前後左右に追従させて位置決め調整し、開き戸を中間ヒンジ位置において戸枠Ａに回動可能に連結して反り変形を防止する。【選択図】          図１
0003127079.tif 000002
【実用新案登録請求の範囲】
【請求項１】
上下のピボットヒンジに備えたピボット軸と軸受穴の嵌め合いで、戸枠の上下隅部に回動可能に取り付ける一方、該戸枠に対する取付位置の調整時は、前記ピボット軸と前記軸受穴の嵌め合い位置を変位させて、前記戸枠に対し上下、前後左右に調整可能に前記ピボットヒンジで軸支する開き戸を、前記ピボットヒンジ間の中間ヒンジ位置において、前記戸枠に連結して前記開き戸の反り変形を防止する反り防止金具であって、
中間ピボット軸と、それぞれ軸支持部の一側面からそれと面一に鍔状に延びる羽根板部を有した一対の中間ヒンジ体とからなり、
前記中間ピボット軸は、
一端に球状の嵌合突部を有し、他端を前記中間ヒンジ体のいずれか一方の前記軸支持部で固持して該軸支持部から前記嵌合突部を突設し、該嵌合突部を他方の前記軸支持部に設ける半球状の中間軸受穴に嵌合し、両中間ヒンジ体を、上下および前後左右に遊動可能に連結し、
前記中間ヒンジ体は、
いずれか一方の前記羽根板部に、前記中間ピボット軸と平行な縦向きに長い第１調整穴を設け、他方の前記羽根板部に、前記中間ピボット軸と直交する横向きに長い第２調整穴を設けると共に、一方の前記羽根板部の外側板面には、その前記中間ピボット軸の両端と対応する両側板面部位を対称的に前記中間ピボット軸寄りに傾斜させて、中間の支点面部の両側に一対のテーパ面部を形成してなると共に、
一方の前記羽根板部を、前記開き戸又は前記戸枠のいずれか一方の木口に、止めねじを前記第１調整穴に通して仮止めする一方、他方の前記羽根板部を、前記開き戸又は前記戸枠のいずれか他方の木口に、止めねじを前記第２調整穴に通して仮止めしたとき、前記中間ヒンジ体の取付位置を、前記開き戸に対し、前記第１調整穴又は第２調整穴の長さ方向に沿って上下又は前後方向に調整可能とすると共に、前記テーパ面部の傾きに応じて左右方向に調整可能に構成してなる、開き戸用反り防止金具。
【考案の詳細な説明】
【技術分野】
【０００１】
本考案は、戸枠の上下隅部にピボットヒンジで回動可能に取り付ける開き戸を、上下ピボットヒンジ間の中間ヒンジ位置で戸枠に連結して開き戸の反り変形を防止する反り防止金具に関する。
【背景技術】
【０００２】
最近、開き戸は、ドアヒンジとして、例えば図１１に示すように、上下に目立たずに装着されて見栄えが良いことから、上下に一対のピボットヒンジ１・２を用い、それらピボットヒンジに備えたピボット軸と軸受穴の嵌め合いで、回動可能に戸枠３の上下隅部に吊り込んでいる。また、開き戸４は、素材が木製など、経時に弓状に反り易い材質の場合は、ピボットヒンジ１・２間の中間ヒンジ位置に反り防止金具５を装着し、この反り防止金具５で戸枠３に連結して反り変形の発生を防止している。反り防止金具５は、一対の中間ヒンジ体５ａ・５ｂを、上下に重ねて一方を戸枠３側にねじ止めし、他方を開き戸４にねじ止めする一方、ピボット軸５ｃで連結したピン継手構造とし、上下のピボットヒンジ１・２と相俟って開き戸４を戸枠３に回動可能に連結している。
【特許文献１】特開２００３−１４８０３１号公報
【考案の開示】
【考案が解決しようとする課題】
【０００３】
ところで、従来、開き戸用のピボットヒンジの中には、開き戸を、戸枠や床との間にそれぞれ所定の隙間をあけて吊り込むために、その都度、これら隙間に合わせて、ヒンジ取付位置を、施工現場で、開き戸に対して上下および前後左右に微調整できるようになっているものが多くなっている。そのため、この調整型ピボットヒンジは、適宜の位置調整手段が組み込まれ、開き戸の建付け位置に合わせて、この取付調整手段でピボット軸と軸受穴の嵌め合い位置を変位させて、上下および前後左右に調整して装着するようになっている（特許文献１参照）。
【０００４】
ところが、従来の反り防止金具５は、ピン継手によって中間ヒンジ体５ａ・５ｂを、同一軸線上で回転可能に軸支するだけで、開き戸４の取付位置に合わせて、上下、前後および左右方向へ移動調整可能に連結した構造ではないため、開き戸を調整型ピボットヒンジを用いて戸枠に吊り込む場合には使用することができないという課題があった。
【０００５】
そこで、本考案の目的は、調整型ピボットヒンジを用いて開き戸を戸枠に吊り込む場合にも使用することのできる開き戸用反り防止金具を提供することにある。
【課題を解決するための手段】
【０００６】
そこで、上述した課題を解決すべく、請求項１に記載の考案は、たとえば以下に示す図示実施の形態のとおり、上下のピボットヒンジＰ（Ｐ１・Ｐ２）に備えたピボット軸１７と軸受穴２２の嵌め合いで、戸枠Ａの上下隅部に回動可能に取り付ける一方、該戸枠Ａに対する取付位置の調整時は、前記ピボット軸１７と前記軸受穴２２の嵌め合い位置を変位させて、前記戸枠Ａに対し上下、前後左右に調整可能に前記ピボットヒンジＰで軸支する開き戸Ｄを、前記ピボットヒンジＰ１・Ｐ２間の中間ヒンジ位置において、前記戸枠Ａに連結して前記開き戸Ｄの反り変形を防止する反り防止金具Ｒであって、中間ピボット軸３０と、それぞれ軸支持部３５ａ・４０ａの一側面３６・３９からそれと面一に鍔状に延びる羽根板部３５ａ・４０ａを有した一対の中間ヒンジ体３５・４０とからなり、前記中間ピボット軸３０は、一端に球状の嵌合突部３０ａを有し、他端を前記中間ヒンジ体３５・４０のいずれか一方の前記軸支持部で固持して該軸支持部から前記嵌合突部３０ａを突設し、該嵌合突部３０ａを他方の前記軸支持部に設ける半球状の中間軸受穴３８に嵌合し、両中間ヒンジ体３５・４０を、上下および前後左右に遊動可能に連結し、前記中間ヒンジ体３５・４０は、いずれか一方の前記羽根板部に、前記中間ピボット軸３０と平行な縦向きに長い第１調整穴３９を設け、他方の前記羽根板部に、前記中間ピボット軸３０と直交する横向きに長い第２調整穴４３を設けると共に、一方の前記羽根板部の外側板面４４には、その前記中間ピボット軸３０の両端と対応する両側板面部位を対称的に前記中間ピボット軸３０寄りに傾斜させて、中間の支点面部４４ａの両側に一対のテーパ面部４４ｂ・４４ｃを形成してなると共に、一方の前記羽根板部を、前記開き戸Ｄ又は前記戸枠Ａのいずれか一方の木口に、止めねじを前記第１調整穴３９に通して仮止めする一方、他方の前記羽根板部を、前記開き戸Ｄ又は前記戸枠Ａのいずれか他方の木口に、止めねじを前記第２調整穴４３に通して仮止めしたとき、前記中間ヒンジ体３５・４０の取付位置を、前記開き戸Ｄに対し、前記第１調整穴３９又は第２調整穴４３の長さ方向に沿って上下又は前後方向に調整可能とすると共に、前記テーパ面部４４ｂ・４４ｃの傾きに応じて左右方向に調整可能に構成してなることを特徴とする。
【考案の効果】
【０００７】
請求項１に記載の考案に係る反り防止金具によれば、一対の中間ヒンジ体を、中間ピボット軸の球状嵌合突部と半球状の中間軸受穴との嵌め合いで、上下および前後左右に自由に遊動可能に連結する一方、中間ヒンジ体の取付位置を、建付け基準の開き戸に対し、羽根板部の第１調整穴又は第２調整穴の長さ方向に沿って前後又は上下方向に調整可能とすると共に、羽根板部のテーパ面部の傾きに応じて左右方向に調整可能に構成するため、たとえ調整型ピボットヒンジで所定の取付位置に位置決め調整して吊り込んだ開き戸であっても、その都度、施工現場で、この開き戸の取付位置に合わせて、中間ヒンジ体の取付位置を上下及び前後左右に追従させて位置決め調整し、開き戸を中間ヒンジ位置において戸枠に回動可能に連結することができる。その結果、調整型ピボットヒンジを用いて開き戸を戸枠に吊り込む場合にも、上下のピボットヒンジと相まって、中間ピボットヒンジとして使用することができると共に、経時、中間ヒンジ位置で開き戸が弓なりに反って変形するのを確実に防止することができる。
【考案を実施するための最良の形態】
【０００８】
以下、図面を参照しつつ、本考案の実施の形態について説明する。
【０００９】
図１０は、本考案の一例である反り防止金具とピボットヒンジの開き戸および戸枠に対する装着関係を示す扉周りの正面図、図９は斜視図である。図中符号Ｄは開き戸、Ａは戸枠、Ｆは床面である。図示例の開き戸Ｄは、縦長な木製とする。戸枠Ａは、図中左右の縦枠１０・１１と、天井側の上枠１２とを有する。符号１３は、開き戸Ｄの戸当りである。一方、ピボットヒンジＰは、一組の下部ヒンジＰ１と上部ヒンジＰ２とからなる、取付位置調整型ピボットヒンジで、下部ヒンジＰ１を、互いに向かい合う戸枠Ａの右縦枠１１の下隅部１１ａと開き戸Ｄの右下隅部１４ａ間に装着し、上部ヒンジＰ２を、右縦枠１１の上隅部１１ｂと開き戸Ｄの右上隅部１４ｂ間に装着し、開き戸Ｄを戸枠Ａに対し所定の取付位置に、右勝手に開閉可能に取り付ける。そして、図示例では、これら下部ヒンジＰ１と上部ヒンジＰ２間の中間ヒンジ位置において、開き戸Ｄを戸枠Ａに連結して開き戸Ｄの反り変形を防止する、本考案の反り防止金具Ｒを装着する。
【００１０】
さて、ピボットヒンジＰにおいて、下部ヒンジＰ１は、図８に示すように、支持用のアングル板１５及びそれに付設する付属品からなるサポートユニット１６と、ピボット軸１７を含むピボットユニット１８との一対からなる。
【００１１】
下部ヒンジＰ１のサポートユニット１６において、アングル板１５は、金属プレートを略Ｌ形に曲げ成形して水平板部１９と垂直板部２０とを設け、水平板部１９は、垂直板部２０の下端から曲げ延びる首板部分１９ａと、首板部分から直角に屈曲した支持板部分１９ｂとで略Ｌ板形状に成形され、支持板部分の先端寄りに多角形の嵌合穴２１が設けられている。嵌合穴２１には、ピボット軸１７の軸先端１７ａと嵌め合う軸受穴２２を有した樹脂製軸受２３が嵌め付けられる。軸受２３は、円盤部２３ａと、嵌合穴２１と対応した多角形の嵌付突部２３ｂとからなり、円盤部２３ａの軸心から偏心した位置に軸受穴２２を貫通させて全体を異形リング状に形成してなる。
【００１２】
ピボットユニット１８は、略Ｌ板形状をなす取付プレート２４の一端にガイド筒２５を立設し、ピボット軸１７を、ガイド筒２５内において付勢ばねで付勢して軸先端１７ａが取付プレート２４の軸挿通穴から突出する状態で保持する。ガイド筒２５には、内周面上側に雌ねじ部を螺設し、前記付勢ばねの上で該雌ねじ部に雄ねじ部を螺合させて調整ねじ２６を螺着し、そのねじ頭部２７を上方開口から臨ませてなる。調整ねじ２６のねじ頭部２７上には、十字の調整溝２７ａが凹設されている。なお、符号２８は、ガイド筒２５に被せる化粧用の外装キャップである。
【００１３】
一方、ピボットヒンジＰの上部ヒンジＰ２は、上述した下部ヒンジＰ１と部品構成が略同じサポートユニット１６とピボットユニット１５との一対からなるため、詳しくは図示省略する。
【００１４】
そこで、以上の調整型ピボットヒンジＰを用いて、開き戸Ｄを戸枠Ａに取り付ける場合を、図８〜図１０を参照して説明すると、開き戸Ｄの側には、その右下隅部１４ａに下部ヒンジＰ１のピボットユニット１８を取り付ける。その場合、ピボットユニット１８は、開き戸Ｄを戸枠Ａに吊り込んだ時にガイド筒２５が図中手前の前方へ突出する向きで、ピボット軸１７の軸先端１７ａを上向きにして、取付プレート２４を下隅部１４ａにねじ止めする。一方、右上隅部１４ｂには、上部ヒンジＰ２のピボットユニット１８を取り付けるが、下部ヒンジＰ１のピボットユニット１８とは上下逆向きにして取付プレート２４をねじ止めする。
【００１５】
他方、戸枠Ａの側には、右縦枠１１の下隅部１１ａに、下部ヒンジＰ１のアングル板１５を取り付ける。この場合、アングル板１５は、開き戸Ｄを戸枠Ａに吊り込んだ時に軸受２３が図中手前の前方へ突出する向きにして垂直板部２０を右縦枠１１の下隅部１１ａにねじ止めする。一方、右縦枠１１の上隅部１１ｂには、上部ヒンジＰ２のアングル板１５を、下部ヒンジＰ１のアングル板１５と上下逆向きとし、軸受２３が外側に突出する向きにして垂直板部２０をねじ止めし、下部ヒンジＰ１と上部ヒンジＰ２のピボット軸１７と軸受穴２２の嵌め合い位置を略同一鉛直線上に位置合わせする。このとき、開き戸Ｄの戸枠Ａに対する前後方向Ｘと左右方向Ｙの取付位置に合わせて、ピボット軸１７の軸先端１７ａと軸受２３の軸受穴２２の嵌め合い位置を、前後左右に変位させて微調整する。図示例では、アングル板１５の水平板部１９の嵌合穴２１に嵌着する軸受２３の嵌付突部２３ｂの向きを変えることにより、軸受穴２２の偏心位置を調節してピボット軸１７の軸先端１７ａと、軸受２３の軸受穴２２との嵌め合い位置を前後左右に調整する。
【００１６】
開き戸Ｄと戸枠ＡへのピボットヒンジＰの装着後、開き戸Ｄを戸枠Ａに吊り込むが、そのとき、下部ヒンジＰ１において、下向きに突出状態にあるピボット軸１７の軸先端１７ａを、下アングル板１５の軸受穴２２にばね付勢に抗して嵌着する。そのとき、開き戸Ｄの戸枠Ａに対する上下方向Ｚの取付位置に合わせて、調整ねじ２６の調整溝２７ａに上からドライバー等を係止させて、調整ねじ２６のガイド筒２５に対する捩込み量を調節し、ピボット軸１７の軸先端１７ａと、軸受２３の軸受穴２２との嵌め合いの下方位置を決める。
【００１７】
開き戸Ｄの下方への吊り込み後、上部ヒンジＰ２において、軸先端１７ａが上向きに突出状態のピボット軸１７をばね付勢に抗して押し下げながら、軸先端１７ａを上アングル板１５の軸受穴２２に対し芯合わせしてから、ピボット軸１７の押し下げを解いて軸先端１７ａを上アングル板１５の軸受穴２２に嵌着して開き戸Ｄを吊り込む。すると、開き戸Ｄは、上下のピボット軸１７を支点として戸枠Ａに対し、図示例では右勝手に回動可能に取り付けられる。そのとき、同様に開き戸Ｄの戸枠Ａに対する上下方向Ｚの取付位置に合わせて、調整ねじ２６の調整溝２７ａに下からドライバー等を係止させて、調整ねじ２６のガイド筒２５に対する捩込み量を調節し、ピボット軸１７の軸先端１７ａと、軸受２３の軸受穴２２の嵌め合いの上方位置を決める。それから、ガイド筒２５に外装キャップ２８を被せて後、調整型ピボットヒンジＰを用いた、開き戸Ｄの戸枠Ａに対する所定取付位置への吊設を完了する。
【００１８】
さて、本考案の開き戸用反り防止金具Ｒは、上述の如く調整型ピボットヒンジＰで開き戸Ｄを戸枠Ａに対し所定の取付位置に吊り込んで後に、下部ヒンジＰ１と上部ヒンジＰ２間の中間ヒンジ位置において、開き戸Ｄを戸枠Ａに連結して開き戸Ｄの反り変形を防止する構成になっている。
【００１９】
そこで、図示反り防止金具Ｒは、図１〜図３に示すように、中間ピボット軸３０と、対をなす第１中間ヒンジ体３５および第２中間ヒンジ体４０を備えてなる。
【００２０】
中間ピボット軸３０は、例えばステンレス製で、一端に球状の嵌合突部３０ａを有し、中間軸部３０ｂの他端寄り外周に円周溝３０ｃを設けてなる。
【００２１】
第１中間ヒンジ体３５は、例えば亜鉛ダイカストで一体成形し、肉厚な駒状をなす軸保持部３５ａと、軸支持部３５ａの一側面３６からそれと面一に鍔状に延び、軸支持部３５ａの厚さ方向に縦長な略矩形の羽根板部３５ｂとからなる。軸保持部３５ａには、図中下側の突合せ面３７に、中間ピボット軸３０の嵌合突部３０ａが嵌合可能な半球状の中間軸受穴３８が凹設されている。羽根板部３５ｂには、中間軸受穴３８の深さ方向、即ち軸保持部３５ａの厚さ方向と平行な縦向きに長い、一対の第１調整穴３９を並設してなる。
【００２２】
一方、第２中間ヒンジ体４０は、例えば、同じく亜鉛ダイカストで一体成形し、肉厚な駒状の軸保持部４０ａと、軸支持部４０ａの一側面３９からそれと面一に鍔状に延び、軸支持部４０ａの厚さ方向に縦長な略矩形の羽根板部４０ｂとからなる。軸保持部４０ａには、図中上側の突合せ面４１に、中間ピボット軸３０の中間軸部３０ｂが嵌合可能な筒穴４２を凹設すると共に、羽根板部４０ｂ側の端面から該筒穴４２と連通するピン挿通穴４９を穿設している。羽根板部４０ｂには、筒穴４２の深さ方向、即ち軸保持部４０ａの厚さ方向と直交する横向きに長い、一対の第２調整穴４３を並設している。また、羽根板部４０ｂの外側板面４４には、図３および図４に示すように、筒穴４２の深さ方向、即ち軸保持部４０ａの厚さ方向両端と対応する両側板面部位において、板厚をそれぞれ板端縁へ向け漸次薄肉に成形し、中間の支点面部４４ａの両側に筒穴４２寄りへ対称的に傾斜した一対のテーパ面部４４ｂ・４４ｃを設けてなる。
【００２３】
かかる形状の第２中間ヒンジ体４０は、図５に示すように、筒穴４２に中間ピボット軸３０の中間軸部３０ｂを嵌着する一方、ピン挿通穴４９に抜け止めピン４５を圧入して円周溝３０ｃに係止し、中間ピボット軸３０を、嵌合突部３０ａを突出させた状態で、軸支持部４０ａで固持して組み立ててなる。そこで、図示反り防止金具Ｒは、嵌合突部３０ａを、第１中間ヒンジ体３５の中間軸受穴３８に嵌合させて、図６でも示すように、両中間ヒンジ体３５・４０が上下および前後左右に自由に遊動可能に連結される構造になっている。
【００２４】
さて、かかる構成の反り防止金具Ｒは、予め調整型ピボットヒンジＰで戸枠Ａに対し所定取付位置に吊り込んだ開き戸Ｄを、その反り防止のために、戸枠Ａに連結する。その場合、たとえば図１、図９及び図１０を参照して説明すると、第１中間ヒンジ体３５は、下部ヒンジＰ１と上部ヒンジＰ２間の中間ヒンジ位置において、開き戸Ｄ側に装着する。そのとき、第１中間ヒンジ体３５は、軸支持部３５ａが図中手前の前方へ突出する向きで、且つ中間軸受穴３８が下向きの状態で、止めねじ５０を第１調整穴３９に通して捩じ込んで羽根板部３５ｂを開き戸Ｄの木口５５に仮止めする。
【００２５】
次いで、第２中間ヒンジ体４０は、第１中間ヒンジ体３５の上側で、戸枠Ａの右縦枠１１側に装着して第１中間ヒンジ体３５と連結する。そのとき、第２中間ヒンジ体４０は、中間ピボット軸３０の嵌合突部３０が上向きの状態で、突合せ面４１を第１中間ヒンジ体３５の突合せ面３７と突き合わせて、中間軸受穴３８に嵌合突部３０ａを嵌合し、止めねじ５１を第２調整穴４３に通して捩じ込んで羽根板部４０ｂを右縦枠１１の木口１１ｃに仮止めする。すると、開き戸Ｄと右縦枠１１間において、両中間ヒンジ体３５・４０が、中間ピボット軸３０の嵌合突部３０ａと中間軸受穴３８の嵌め合いを介して、上下および前後左右に自由に遊動可能に連結される。
【００２６】
しかる後、開き戸Ｄ側の第１中間ヒンジ体３５を、止めねじ５０で羽根板部３５ｂを固く締め込んで、開き戸Ｄの木口５０に本止めしてから、開き戸Ｄを回動させて、第２中間ヒンジ体４０との間で位置合せをする。すると、建付け基準の開き戸Ｄ側に固定の第１中間ヒンジ体３５に対し、戸枠Ａ側に仮止め状態の第２中間ヒンジ体４０が追従し、その第２中間ヒンジ体４０の取付位置が第１中間ヒンジ体３５の取付位置に馴染んで合わせられる。即ち、そのとき、第２中間ヒンジ体４０の上下方向Ｚの取付位置は、第１中間ヒンジ体３５の上下方向Ｚの取付位置に応じて、中間ピボット軸３０の嵌合突部３０ａと中間軸受穴３８との嵌め合い位置が上下方向Ｚに追従して位置決め調整される。また、第２中間ヒンジ体４０の前後方向Ｘの取付位置は、横長な第２調整穴４３の長さ方向に沿って追従して位置決め調整される。
【００２７】
更に、第２中間ヒンジ体４０の左右方向Ｙの取付位置は、第１中間ヒンジ体３５の左右方向Ｙの取付位置に応じて、第２中間ヒンジ体４０が、羽根板部４０ｂの支点面部４４ａを支点としてテーパ面部４４ｂ・４４ｃの傾き方向へ揺動し、その傾きに応じてテーパ面部４４ｂ・４４ｃが右縦枠１１の木口１１ｃに当接することにより位置決め調整される。図７（Ａ）では、第２中間ヒンジ体４０は、テーパ面部４４ｃが右縦枠１１の木口１１ｃに当接し、最も図中右寄りに位置決め調整され、同（Ｂ）では、テーパ面部４４ｂが右縦枠１１の木口１１ｃに当接し、最も図中左寄りに位置決め調整された状態を示している。
【００２８】
こうして第２中間ヒンジ体４０の上下および前後左右の取付位置を、第１中間ヒンジ体３５の取付位置に合わせてから、第２中間ヒンジ体４０を、止めねじ５１で羽根板部４０ｂを固く締め込んで、右縦枠１１の木口１１ｃに本止めし、これによって、図示反り防止金具Ｒの組付けを終える。
【００２９】
よって、図示反り防止金具Ｒは、中間ピボット軸３０と中間軸受穴３８の嵌め合い位置が、調整型ピボットヒンジＰのピボット軸１７と軸受穴２２の嵌め合い位置と同一鉛直線上に位置決めされた状態で、調整型ピボットヒンジＰと相俟って、中間ピボットヒンジとして開き戸Ｄを戸枠Ａに回動可能に取り付けると共に、経時、中間ヒンジ位置で開き戸Ｄが弓なりに反って変形するのを防止する。
【図面の簡単な説明】
【００３０】
【図１】本考案の一例である開き戸反り防止金具を示す分解斜視図である。
【図２】開き戸反り防止金具の第１中間ヒンジ体を示す側面図である。
【図３】第２中間ヒンジ体を示す側面図である。
【図４】開き戸反り防止金具の組立斜視図である。
【図５】開き戸反り防止金具の図６中縦断面図である。
【図６】開き戸反り防止金具の組立側面図である。
【図７】開き戸反り防止金具の左右方向の位置調整状態を示す側面図である。
【図８】調整型ピボットヒンジの下部ヒンジの分解斜視図である。
【図９】開き戸用反り防止金具とピボットヒンジの開き戸および戸枠に対する装着関係を示す扉周りの斜視図である。
【図１０】その扉周りの正面図である。
【図１１】従来の開き戸用反り防止金具とピボットヒンジの開き戸および戸枠に対する装着関係を示す扉周りの斜視図である。
【符号の説明】
【００３１】
Ａ                戸枠
Ｄ                開き戸
Ｐ（Ｐ１・Ｐ２）  ピボットヒンジ
Ｒ                開き戸用反り防止金具
１０・１１        左右縦枠
１７              ピボットヒンジのピボット軸
２２              軸受穴
３０              中間ピボット軸
３０ａ            嵌合突部
３５              第１中間ヒンジ体
３５ａ・４０ａ    軸支持部
３５ｂ・４０ｂ    羽根板部
３８              中間軸受穴
３９              第１調整穴
４０              第２中間ヒンジ体
４３              第２調整穴
４４ａ            支点面部
４４ｂ・４４ｃ    テーパ面部
【図１】
0003127079.tif 000003
【図２】
0003127079.tif 000004
【図３】
0003127079.tif 000005
【図４】
0003127079.tif 000006
【図５】
0003127079.tif 000007
【図６】
0003127079.tif 000008
【図７】
0003127079.tif 000009
【図８】
0003127079.tif 000010
【図９】
0003127079.tif 000011
【図１０】
0003127079.tif 000012
【図１１】
0003127079.tif 000013